【手続補正書】
【提出日】平成25年1月25日(2013.1.25)
【手続補正１】
【補正対象書類名】明細書
【補正対象項目名】００１１
【補正方法】変更
【補正の内容】
【００１１】
そこで、上記課題を解決するために、請求項１の発明は、固体撮像素子において、光電変換素子と当該光電変換素子で光電変換して得られた電荷をフローティングディフージョン部に読み出すトランジスタとを含む画素が行列状に配置され、光が照射される複数の画素からなる有効画素領域と、光の照射が遮られている複数の画素からなる遮光画素領域を有する画素アレイ部と、前記画素アレイ部を画素行毎に選択制御し、画素列毎に設けられた列信号線に前記選択した画素行の各画素からそれぞれ信号を出力させる行走査部と、各前記列信号線から出力される信号をデジタル変換するＡＤ変換部と、を備え、前記遮光画素領域は、黒レベルの基準となる信号を生成する画素を有する画素からなる光学的黒画素領域と、前記列信号線への信号の出力経路が遮断され、前記光電変換素子に発生した電荷を電源に排出する画素から形成されて前記光学的黒画素領域と前記有効画素領域との間に設けられた前記ダミー画素領域とを有しており、前記有効画素領域、前記光学的黒画素領域及び前記ダミー画素領域は、それぞれ列方向の複数の画素が前記フローティングディフージョン部を共有する画素群から構成され、前記行走査部は、前記遮光画素領域のうち前記ダミー画素領域の選択を行わないようにした。
【手続補正２】
【補正対象書類名】明細書
【補正対象項目名】００１３
【補正方法】変更
【補正の内容】
【００１３】
また、請求項３に記載の発明は、撮像機器において、固体撮像素子を有し、前記固体撮像素子は、光電変換素子と当該光電変換素子で光電変換して得られた電荷をフローティングディフージョン部に読み出すトランジスタとを含む画素が行列状に配置され、光が照射される複数の画素からなる有効画素領域と、光の照射が遮られている複数の画素からなる遮光画素領域を有する画素アレイ部と、前記画素アレイ部を画素行毎に選択制御し、画素列毎に設けられた列信号線に前記選択した画素行の各画素からそれぞれ信号を出力させる行走査部と、各前記列信号線から出力される信号をデジタル変換するＡＤ変換部と、を備え、前記遮光画素領域は、黒レベルの基準となる信号を生成する画素を有する画素からなる光学的黒画素領域と、前記列信号線への信号の出力経路が遮断され、前記光電変換素子に発生した電荷を電源に排出する画素から形成されて前記光学的黒画素領域と前記有効画素領域との間に設けられた前記ダミー画素領域とを有しており、前記有効画素領域、前記光学的黒画素領域及び前記ダミー画素領域は、それぞれ列方向の複数の画素が前記フローティングディフージョン部を共有する画素群から構成され、前記行走査部は、前記遮光画素領域のうち前記ダミー画素領域の選択を行わないようにした。
【手続補正３】
【補正対象書類名】明細書
【補正対象項目名】００１５
【補正方法】変更
【補正の内容】
【００１５】
【図１】本発明の一実施形態に係る撮像機器の全体的な構成を示した図である。
【図２】本発明の一実施形態に係る固体撮像素子の全体的な構成を示した図である。
【図３】図１に示す固体撮像素子の画素の構成を示した図である。
【図４】図３に示す画素群の制御方法の説明図である。
【図５】図２に示す画素アレイ部のレイアウトを示した図である。
【図６】図５に示すダミー画素領域の画素群の構成を示した図である。
【図７】画素群をダミー画素領域と有効画素領域で共用した構成を示した図である。
【図８Ａ】図５に示す画素群で行走査したときの特性の説明図である。
【図８Ｂ】図７に示す画素群で行走査したときの特性の説明図である。
【図９Ａ】従来の行走査の方法を示す図である。
【図９Ｂ】図１に示す固体撮像素子の行走査の方法を示した図である。
【図１０Ａ】従来の行走査の方法による電源状態の説明図である。
【図１０Ｂ】図１に示す固体撮像素子の行走査の方法による電源状態の説明図である。
【図１１】図２に示す行走査部の構成を示した図である。
【図１２】図２に示す行走査部の変形例を示した図である。
【図１３】図２に示す行走査部の変形例を示した図である。
【図１４】固体撮像素子の画素の別の構成を示した図である。
【図１５】ダミー画素領域の画素群の構成を示した図である。
【図１６】従来の固体撮像素子の画素アレイ部のレイアウトを示した図である。
【手続補正４】
【補正対象書類名】特許請求の範囲
【補正対象項目名】全文
【補正方法】変更
【補正の内容】
【特許請求の範囲】
【請求項１】
光電変換素子と当該光電変換素子で光電変換して得られた電荷をフローティングディフージョン部に読み出すトランジスタとを含む画素が行列状に配置され、光が照射される複数の画素からなる有効画素領域と、光の照射が遮られている複数の画素からなる遮光画素領域を有する画素アレイ部と、
前記画素アレイ部を画素行毎に選択制御し、画素列毎に設けられた列信号線に前記選択した画素行の各画素からそれぞれ信号を出力させる行走査部と、
各前記列信号線から出力される信号をデジタル変換するＡＤ変換部と、を備え、
前記遮光画素領域は、黒レベルの基準となる信号を生成する画素を有する画素からなる光学的黒画素領域と、前記列信号線への信号の出力経路が遮断され、前記光電変換素子に発生した電荷を電源に排出する画素から形成されて前記光学的黒画素領域と前記有効画素領域との間に設けられた前記ダミー画素領域とを有しており、
前記有効画素領域、前記光学的黒画素領域及び前記ダミー画素領域は、それぞれ列方向の複数の画素が前記フローティングディフージョン部を共有する画素群から構成され、
前記行走査部は、前記遮光画素領域のうち前記ダミー画素領域の選択を行わない固体撮像素子。
【請求項２】
前記行走査部は、行方向が共通する前記画素群を一括して選択制御する制御信号を出力する複数の制御回路を有しており、前記光学的黒画素領域から前記有効画素領域にいたる一連の選択制御では、前記ダミー画素領域は読み出さず、前記光学的黒画素領域から前記有効画素領域のみを連続して読み出すように選択制御するようにした請求項１に記載の固体撮像素子。
【請求項３】
固体撮像素子を有し、
前記固体撮像素子は、
光電変換素子と当該光電変換素子で光電変換して得られた電荷をフローティングディフージョン部に読み出すトランジスタとを含む画素が行列状に配置され、光が照射される複数の画素からなる有効画素領域と、光の照射が遮られている複数の画素からなる遮光画素領域を有する画素アレイ部と、
前記画素アレイ部を画素行毎に選択制御し、画素列毎に設けられた列信号線に前記選択した画素行の各画素からそれぞれ信号を出力させる行走査部と、
各前記列信号線から出力される信号をデジタル変換するＡＤ変換部と、を備え、
前記遮光画素領域は、黒レベルの基準となる信号を生成する画素を有する画素からなる光学的黒画素領域と、前記列信号線への信号の出力経路が遮断され、前記光電変換素子に発生した電荷を電源に排出する画素から形成されて前記光学的黒画素領域と前記有効画素領域との間に設けられた前記ダミー画素領域とを有しており、
前記有効画素領域、前記光学的黒画素領域及び前記ダミー画素領域は、それぞれ列方向の複数の画素が前記フローティングディフージョン部を共有する画素群から構成され、
前記行走査部は、前記遮光画素領域のうち前記ダミー画素領域の選択を行わない撮像機器。